(57)【特許請求の範囲】
【請求項１】
複数の枠が存在し、この枠毎に最大販売数が定められた商品において、
前記商品を販売する販売手段と、
前記各枠の商品の最大販売数を記憶する最大販売数記憶手段と、
前記最大販売数記憶手段に記憶した今回の枠内での最大販売数から、前記販売手段により販売済みの数を差し引いて、今回の枠内で販売できる数を算出する販売可能数算出手段と、
前記販売可能数算出手段によって算出した今回の枠内での販売可能数が０個または所定数に到達した場合には、一定時間販売を中止して、販売が中止されたことを報知する報知手段と、
前記報知手段により販売が中止されたことを報知した後、次回の枠内の商品の販売を前記販売手段へ指示する指示手段とよりなることを特徴とする自動販売機。
【発明の詳細な説明】
【０００１】
【産業上の利用分野】
本発明は、映画館、コンサート会場の入場券等の販売をする自動販売機に関する。
【０００２】
【従来の技術】
従来から映画館等では、１回の上映において、収納できる人員が定められている場合がある。例えば、指定席等においてはその席の分だけが収納可能な人員となっている。したがって、指定席の入場券を販売する自動販売機においては、販売される入場券の枚数に制限が加えられる。
【０００３】
また、映画館等では、表１に示すように、第１回〜第８回の複数回の上映時間帯が設定され、各時間帯毎に１５０名等の定員が設定されている場合がある。
【０００４】
【表１】
0003651034.tif 000002
したがって、各上映時間帯毎に、それぞれの定員に合わせて入場券を販売する必要がある。
【０００５】
【発明が解決しようとする課題】
しかしながら、自動販売機においては、例えば、第１回目の上映時間帯の入場券を販売してその販売数が１５０名になった場合には、すぐに次の第２回目の上映時間帯の入場券を販売する。
【０００６】
この場合に、例えば、４人のグループが第１回目の上映を観るために、自動販売機から入場券を買うとする。そして、その入場券が既に１４８名分販売されている場合には、その次から４名の入場券を販売すると、最初の２名は第１回目の上映時間帯の入場券となっているが、残りの２名は第２回目の上映時間の入場券となる。したがって、４人のグループは、結果として第１回目の入場券を４人分買うことができない。
【０００７】
そこで、本発明は上記問題点に鑑み、上映時間（すなわち、枠）毎に定められた定員に応じた入場券を販売して、今回の上映時間帯（すなわち、今回の枠）の入場券と次回の上映時間帯（すなわち、次回の枠）の入場券とは区別して販売することができる自動販売機を提供するものである。
【０００８】
【課題を解決するための手段】
本発明の自動販売機は、複数の枠が存在し、この枠毎に最大販売数が定められた商品において、前記商品を販売する販売手段と、前記各枠の商品の最大販売数を記憶する最大販売数記憶手段と、前記最大販売数記憶手段に記憶した今回の枠内での最大販売数から、前記販売手段により販売済みの数を差し引いて、今回の枠内で販売できる数を算出する販売可能数算出手段と、前記販売可能数算出手段によって算出した今回の枠内での販売可能数が０個または所定数に到達した場合には、一定時間販売を中止して、販売が中止されたことを報知する報知手段と、前記報知手段により販売が中止されたことを報知した後、次回の枠内の商品の販売を前記販売手段へ指示する指示手段とよりなるものである。
【０００９】
なお、上記「枠」とは、映画館の入場券の販売の場合には、各上映時間帯を意味する。
【００１０】
【作  用】
以下、上記構成の自動販売機の動作状態について説明する。
【００１１】
商品は販売手段によって販売される。販売可能算出手段は、最大販売数記憶手段に記憶した今回の枠内での最大販売数から、販売手段による販売済の数を差引いて、今回の枠内での販売できる数を算出する。
【００１２】
販売可能数算出手段によって算出した今回の枠内での販売可能数か０個または所定数に達した場合には、報知手段が商品の販売を中止して、販売が中止されたことを報知する。これにより、今回の枠内での販売が中止され、客にその旨が通知される。
【００１３】
報知手段により販売が中止されたことを報知した後、指示手段は次回の枠内の商品の販売を販売手段へ指示する。
【００１４】
【実施例】
以下、本発明の一実施例を図面に基づいて説明する。
【００１５】
図１は、本発明の一実施例の券の自動販売機１０の電気的構成を説明するブロック図である。
【００１６】
この自動販売機１０は、全席指定の映画館の入場券を販売するものであり、また、表１で示したように、第１回〜第８回までに分けられた各上映時間における定員毎に入場券を販売できる。この発行された入場券には、例えば、「第１回上映用入場券」と記載されている。
【００１７】
符号１２〜１８は、自動販売機１０の正面に設けられた入場券を購入するための発券スイッチである。発券スイッチ１２は、入場券を１枚購入するためのものであり、発券スイッチ１４は、２枚をまとめ買いするためのものであり、発券スイッチ１６は、３枚をまとめ買いするためのものであり、発券スイッチ１８は、４枚をまとめ買いするためのものである。
【００１８】
符号２０は、自動販売機１０の正面に設けられた販売中止表示装置である。この販売中止表示装置２０は、入場券の販売が中止される場合にその旨を表示する。
【００１９】
符号２２は、ビルバリ装置であって、紙幣の取扱いを行う装置である。
【００２０】
符号２４は、コインメックであって、硬貨の取扱いを行う装置である。
【００２１】
符号２６は、入場券を印刷するためのプリンタである。
【００２２】
符号２８は、自動販売機１０の制御装置であって、発券スイッチ１２〜１８、販売中止表示装置２０、ビルバリ装置２２、コインメック２４およびプリンタ２６が接続されている。そして、この制御装置２８には、各上映時間毎の入場可能な人員の枚数である最大販売数Ａ（ｘ）が記憶されている。ここでｘは、上映時間帯の回数を示し、第１回の場合にはｘ＝１となる。
【００２３】
以下、上記構成の自動販売機１０の動作状態について、図２のフローチャートに基づいて説明する。
【００２４】
ステップ１において、最大販売数Ａから、現在の販売数Ｂを引いて、現在販売できる入場券の数である販売可能数ｎを算出する。そしてステップ２に進む。
【００２５】
ステップ２において、販売可能数ｎが０枚であれば、ステップ３ａに進み、ｎが１以上であればステップ４に進む。
【００２６】
ステップ３ａにおいて、入場券の販売できる数が０枚であるため、自動販売機１０の販売を中止して、販売中止表示装置２０によって一定時間（例えば１０分間）販売を中止しステップ３ｂに進む。
【００２７】
ステップ３ｂにおいて、ｘ＝ｘ＋１としてステップ３ｃに進む。
【００２８】
ステップ３ｃにおいて、最大販売数Ａ（ｘ）を呼出してくる。そして、ステップ３ｄに進む。
【００２９】
ステップ３ｄにおいて、第ｘ回目の上映時間間帯の入場券の販売を開始し、ステップ１に戻る。
【００３０】
ステップ４において、客からコインメック２４またはビルバリ装置２２からお金が投入された場合には、その投入金額を検知する。そして、ステップ５に進む。
【００３１】
ステップ５において、投入金額が販売可能数ｎ以上の金額か否かを判断し、販売可能数ｎ以上の金額であればステップ６に進み、そうでなければステップ７に進む。
【００３２】
ステップ６において、投入された金額が販売可能数ｎ以上であるため、販売できる入場券の数である販売可能数ｎに応じた発券スイッチのみを操作可能とする。そして、ステップ８に進む。
【００３３】
ステップ７において、その投入金額に応じた発券スイッチを操作可能とし、ステップ８に進む。
【００３４】
ステップ８において、販売操作を行いステップ１に戻る。
【００３５】
ステップ９において、前回の販売数Ｂに今回の販売数Ｃを加えて、新たな販売数Ｂとしステップ１に戻る。
【００３６】
上記フローチャートの流れを具体例に基づいてさらに説明する。
【００３７】
入場券の値段が１，０００円であり、各上映時間帯ｘの最大販売数Ａ（ｘ）がそれぞれ１５０人の場合について説明する。また、現在、自動販売機１０が、第２回目の入場券を販売しているものとする。
【００３８】
ステップ１において、最大販売数Ａ（２）＝１５０人から現在の販売可能数ｎを算出して、ステップ２において、その販売可能数が０枚か否かを判断する。０枚の場合には、入場券の販売が全くできないためステップ３ａに進む。
【００３９】
ステップ３ａにおいて、自動販売機１０の販売を中止し、販売中止表示装置２０を使用して自動販売機１０が販売中止であることを客に表示し、その状態を１０分間継続する。そしてステップ３ｂに進む。
【００４０】
ステップ３ｂ，３ｃにおいて、第３回目の最大販売数Ａ（３）を呼出してきて、ステップ３ｄにおいて、自動販売機１０において第３回目の上映時間帯の入場券の販売を開始し、ステップ１に戻る。
【００４１】
０枚以上の場合には入場券の販売が可能であるため販売動作を続ける。
【００４２】
ステップ４において、客からお金が投入されたと判断した場合には、ステップ５において、その投入金額が販売可能数ｎ以上の金額か否かを判断する。例えば、投入金額が、１０，０００円の場合で、販売可能数ｎが１１枚の場合には、その金額に応じた入場券は全て発券できるためステップ７に進み、販売可能数ｎが２枚の場合には、ステップ６に進む。
【００４３】
ステップ６においては、販売可能数ｎに応じた発券スイッチを操作可能とする。上記の例においては、１０，０００円が投入されている状態でも、販売可能数は２枚であるため、１枚の発券スイッチ１２と２枚の発券スイッチ１４とのみを操作可能とし、３枚の発券スイッチ１６と４枚の発券スイッツチ１８は、販売中止の状態とする。
【００４４】
ステップ７においては、入場券が投入金額に応じて販売できるため、全ての発券スイッチ１２〜１８を操作可能とする。
【００４５】
ステップ８において、操作された発券スイッチ１２〜１８の数に応じて、プリンタ２６で入場券を発行し、ステップ９において、前回の販売数Ｂに今回の販売数Ｃを加えて、新たな販売数Ｂとし、ステップ１に戻り、ステップ１において再び販売可能数ｎを算出する。
【００４６】
上記構成の自動販売機１０であると、常に販売可能数ｎを算出して、それに応じた発券スイッチのみを操作可能とするため、最大販売数を超えて入場券を販売することがない。
【００４７】
また、第２回目の入場券の販売が終わった場合には、第３回目の入場券の販売が開始されるまでの１０分間は、自動販売機の販売中止状態が続くため、客に第２回目の入場券、または、第３回目の入場券を販売するかを一目で判別することができ、従来のように誤って第２回目と第３回目の入場券を同時に購入することがない。
【００４８】
なお、上記実施例の販売中止表示装置２０によって、一定時間販売を中止する方法以外に、例えば、「第１回目の入場券は販売を終了しました。」と、表示したり、音声で報知したり、また、コインメック２４、ビルバリ装置２２に硬貨や貨幣の投入ができないようにして販売中止であることを示してもよい。
【００４９】
また、上記実施例の自動販売機１０においては、１個の自動販売機において入場券を販売する場合について説明したが、複数の自動販売機を用いる場合には、中央制御装置を置いて、ここで一括して最大販売数を管理し、この中央制御装置はそれぞれの自動販売機で販売された入場券の数に応じて販売可能数を計算し、その販売可能数を各自動販売機に出力して、各自動販売機はこの販売可能数に応じて入場券を販売できるようにしてもよい。
【００５０】
さらに、上記実施例では、販売可能数が０個になった時点で販売中止となっていたが、これに限らず、例えば安全を見て入場券の残りが２枚等の所定数に達した場合に販売中止にしてもよい。
【００５１】
【発明の効果】
以上により本発明の自動販売機であると、１回の枠内での販売可能数が０個または所定数に到達して販売が中止された場合には、その販売を報知手段によって報知した後に、次の枠内の商品の販売が開始されるため、客は、今回の枠内の商品の販売か次回の枠内の商品の販売かを一目で判別することができる。
【図面の簡単な説明】
【図１】本発明の一実施例を示す自動販売機のブロック図である。
【図２】制御装置のフローチャートである。
【符号の説明】
１０  自動販売機
１２  発券スイッチ
１４  発券スイッチ
１６  発券スイッチ
１８  発券スイッチ
２０  販売中止表示装置
２２  ビルバリ装置
２４  コインメック
２６  プリンタ
２８  制御装置
【図１】
0003651034.tif 000003
【図２】
0003651034.tif 000004